(57)【要約】  本発明は、プライマリｅＮＢにおける、デュアル接続のための、オフ状態のスモール・セル上での測定改善の方法を開示し、方法は、オフ状態のスモール・セルのオフ状態情報をセカンダリｅＮＢから取得するステップと、オフ状態情報をＵＥに送信するステップと、ＵＥから送信される、オフ状態のスモール・セルについての測定報告を受信するステップと、ＵＥをデュアル接続で構成することを決定するステップと、デュアル接続をセットアップするためのリクエストをセカンダリｅＮＢに送信するステップと、セカンダリｅＮＢの確認応答コマンドを受信するステップと、を含み、確認応答コマンドが、デュアル接続をセットアップすることを受け入れることについてのセカンダリｅＮＢの確認応答を含むとき、方法は、ＵＥが、セカンダリｅＮＢにアクセスし、ＲＲＣ接続再構成情報にしたがってデュアル接続をセットアップするように、再構成情報をＵＥに送信するステップをさらに含む。
2017513375.tif 000002
【特許請求の範囲】
【請求項１】
プライマリｅＮＢにおける、デュアル接続のための、オフ状態のスモール・セル上での測定改善の方法であって、
前記オフ状態のスモール・セルのオフ状態情報をセカンダリｅＮＢから取得するステップと、
前記オフ状態情報をＵＥに送信するステップと、
前記ＵＥから送信される、前記オフ状態のスモール・セルについての測定報告を受信するステップと、
前記ＵＥを前記デュアル接続で構成することを決定するステップと、
前記デュアル接続をセットアップするためのリクエストを前記セカンダリｅＮＢに送信するステップと、
前記セカンダリｅＮＢの確認応答コマンドを受信するステップと、を含み、
前記確認応答コマンドが、前記デュアル接続をセットアップすることを受け入れることについての前記セカンダリｅＮＢの確認応答を含むとき、前記方法は、
前記ＵＥが、前記セカンダリｅＮＢにアクセスし、ＲＲＣ接続再構成情報にしたがって前記デュアル接続をセットアップするように、前記再構成情報を前記ＵＥに送信するステップをさらに含む、方法。
【請求項２】
前記オフ状態のスモール・セルは、断続的にディスカバリ参照信号（ＤＲＳ：Ｄｉｓｃｏｖｅｒｙ  Ｒｅｆｅｒｅｎｃｅ  Ｓｉｇｎａｌ）を送信し、
前記オフ状態情報は、前記ディスカバリ参照信号（ＤＲＳ）の送信間隔を含む、請求項１に記載の方法。
【請求項３】
前記プライマリｅＮＢによってサービスされるマクロ・セルが、前記オフ状態のスモール・セルと同期しないとき、前記オフ状態情報は、前記マクロ・セルと前記オフ状態のスモール・セルとの間の同期の差をさらに含む、請求項２に記載の方法。
【請求項４】
前記オフ状態情報は、前記オフ状態のスモール・セルから前記ディスカバリ参照信号（ＤＲＳ）が送信されるサブフレーム番号、または、前記オフ状態のスモール・セルから前記ディスカバリ参照信号（ＤＲＳ）が送信される無線フレーム番号およびサブフレーム番号をさらに含み、
前記オフ状態のスモール・セルから送信された前記ディスカバリ参照信号（ＤＲＳ）が、セル固有参照信号（ＣＲＳ：Ｃｅｌｌ−ｓｐｅｃｉｆｉｃ  Ｒｅｆｅｒｅｎｃｅ  Ｓｉｇｎａｌ）でないとき、前記オフ状態情報は、前記ディスカバリ参照信号（ＤＲＳ）の種類をさらに含む、請求項１に記載の方法。
【請求項５】
前記プライマリｅＮＢは、
ｉ．Ｘ２セットアップ・リクエスト（Ｘ２  Ｓｅｔｕｐ  Ｒｅｑｕｅｓｔ）、
ｉｉ．Ｘ２セットアップ・レスポンス（Ｘ２  Ｓｅｔｕｐ  Ｒｅｓｐｏｎｓｅ）、および
ｉｉｉ．ｅＮＢコンフィギュレーション・アップデート（ｅＮＢ  ｃｏｎｆｉｇｕｒａｔｉｏｎ  ｕｐｄａｔｅ）
のうちのいずれか１つにおいて、前記セカンダリｅＮＢから前記オフ状態情報を取得し、
前記プライマリｅＮＢは、前記オフ状態のスモール・セルが動作する周波数を指し、前記オフ状態情報を含む、測定オブジェクトを含む測定構成情報において、前記オフ状態情報を前記ＵＥに送信する、請求項１乃至４のいずれか１項に記載の方法。
【請求項６】
セカンダリｅＮＢにおける、デュアル接続のための、オフ状態のスモール・セル上での測定改善の方法であって、
サービスされる前記オフ状態のスモール・セルのオフ状態情報をプライマリｅＮＢに送信するステップと、
前記プライマリｅＮＢから送信された、前記デュアル接続をセットアップするためのリクエストを受信するステップと、
前記デュアル接続の前記セットアップを受け入れるかどうかを決定するステップと、を含み、
前記デュアル接続の前記セットアップが受け入れられるとき、
Ｉ．確認応答コマンドを前記プライマリｅＮＢに送信するステップであって、前記確認応答コマンドは、前記デュアル接続をセットアップするためにＵＥが必要とする構成情報を含むステップと、
ＩＩ．前記セットアップされたデュアル接続を介して、アップリンク・データおよびダウンリンク・データを前記ＵＥで送信するステップと、を含み、
前記デュアル接続の前記セットアップが受け入れられないとき、失敗応答を前記プライマリｅＮＢに送信するステップを含む、方法。
【請求項７】
前記オフ状態のスモール・セルは、断続的にディスカバリ参照信号（ＤＲＳ）を送信し、
前記オフ状態情報は、前記ディスカバリ参照信号（ＤＲＳ）の送信間隔を含む、請求項６に記載の方法。
【請求項８】
前記プライマリｅＮＢによってサービスされるマクロ・セルが、前記オフ状態のスモール・セルと同期しないとき、前記オフ状態情報は、前記マクロ・セルと前記オフ状態のスモール・セルとの間の同期の差をさらに含む、請求項７に記載の方法。
【請求項９】
前記オフ状態情報は、前記オフ状態のスモール・セルから前記ディスカバリ参照信号（ＤＲＳ）が送信されるサブフレーム番号、または、前記オフ状態のスモール・セルから前記ディスカバリ参照信号（ＤＲＳ）が送信される無線フレーム番号およびサブフレーム番号をさらに含み、
前記オフ状態のスモール・セルから送信された前記ディスカバリ参照信号（ＤＲＳ）が、セル固有参照信号（ＣＲＳ）でないとき、前記オフ状態情報は、前記ディスカバリ参照信号（ＤＲＳ）の種類をさらに含む、請求項６に記載の方法。
【請求項１０】
前記オフ状態のスモール・セルは、ＰＵＣＣＨチャネルで前記ＵＥを構成するスモール・セルを指す特別なスモール・セルであり、前記特別なスモール・セルがオフにされるとき、前記ステップＩＩは、
前記ＵＥに送信するダウンリンク・データがあるとき、
Ａ．前記オフ状態のスモール・セルをオンにし、周期的に物理層制御シグナリングを前記ＵＥに送信するステップと、
Ｂ．前記ダウンリンク・データを前記ＵＥに送信するステップと、を含み、
前記ＵＥから受信するアップリンク・データがあるとき、前記スモール・セルによって構成されるランダム・アクセス・リソースを介して前記ＵＥによって開始されるランダム・アクセス手順において、前記ＵＥの前記アップリンク・データを受信するステップを含む、請求項６乃至９のいずれか１項に記載の方法。
【請求項１１】
ＵＥにおける、デュアル接続のための、オフ状態のスモール・セル上での測定改善の方法であって、
ａ．プライマリｅＮＢとのＲＲＣ接続をセットアップするステップと、
ｂ．前記オフ状態のスモール・セルのオフ状態情報を前記プライマリｅＮＢから受信するステップと、
ｃ．前記オフ状態情報に基づいて、前記オフ状態のスモール・セルの信号品質を測定するステップと、
ｄ．前記オフ状態のスモール・セルについての測定報告を前記プライマリｅＮＢに送信するステップと、
ｅ．ＲＲＣ接続再構成情報を前記プライマリｅＮＢから受信するステップと、
ｆ．前記デュアル接続をセットアップするために、前記ＲＲＣ接続再構成情報にしたがって前記ＲＲＣ接続を再構成するステップと、
ｇ．前記セットアップされたデュアル接続を介して、前記スモール・セルにサービスするセカンダリｅＮＢで、アップリンク・データおよびダウンリンク・データを送信するステップと、を含む方法。
【請求項１２】
前記オフ状態のスモール・セルは、断続的にディスカバリ参照信号（ＤＲＳ）を送信し、
前記オフ状態情報は、前記ディスカバリ参照信号（ＤＲＳ）の送信間隔を含み、
前記プライマリｅＮＢによってサービスされるマクロ・セルが、前記オフ状態のスモール・セルと同期しないとき、前記オフ状態情報は、前記マクロ・セルと前記オフ状態のスモール・セルとの間の同期の差をさらに含む、請求項１１に記載の方法。
【請求項１３】
前記オフ状態情報は、前記オフ状態のスモール・セルから前記ディスカバリ参照信号（ＤＲＳ）が送信されるサブフレーム番号、または、前記オフ状態のスモール・セルから前記ディスカバリ参照信号（ＤＲＳ）が送信される無線フレーム番号およびサブフレーム番号をさらに含み、
前記オフ状態のスモール・セルから送信された前記ディスカバリ参照信号（ＤＲＳ）が、セル固有参照信号（ＣＲＳ）でないとき、前記オフ状態情報は、前記ディスカバリ参照信号（ＤＲＳ）の種類をさらに含む、請求項１１に記載の方法。
【請求項１４】
前記オフ状態のスモール・セルは、ＰＵＣＣＨチャネルで前記ＵＥを構成するスモール・セルを指す特別なスモール・セルであり、前記特別なスモール・セルがオフにされるとき、前記ステップｇは、
前記特別なスモール・セルからの物理層制御シグナリングを周期的に検出するステップと、前記物理層制御シグナリングが有効であると判定されるとき、前記セカンダリｅＮＢから送信されたダウンリンク・データを受信するステップと、
前記セカンダリｅＮＢに送信するアップリンク・データがあるとき、前記アップリンク・データを送信するための前記セットアップされたデュアル接続を介して、前記セカンダリｅＮＢへのランダム・アクセス手順を開始するステップと、を含む、請求項１３に記載の方法。
【請求項１５】
ＵＥにおける、オフ状態のスモール・セル上での測定改善の方法であって、
ｅＮＢから送信された測定構成情報を受信するステップで、前記測定構成情報が、前記オフ状態のスモール・セルから送信されるディスカバリ参照信号（ＤＲＳ）の送信間隔を少なくとも含むステップと、
前記測定構成情報にしたがって、前記オフ状態のスモール・セルの信号品質を測定および評価するステップと、
前記信号品質が報告条件を満たすとき、前記オフ状態のスモール・セルについての測定報告を前記ｅＮＢに送信するステップと、
を含む方法。
【発明の詳細な説明】
【技術分野】
【０００１】
本開示は、概して、無線通信の分野に関し、特に、ユーザ機器（ＵＥ：Ｕｓｅｒ  Ｅｑｕｉｐｍｅｎｔ）のオフ状態のスモール・セルとのデュアル接続のための、そのスモール・セル上での測定改善の方法に関する。
【背景技術】
【０００２】
デュアル接続は、無線リソース制御＿接続（ＲＲＣ＿ＣＯＮＮＥＣＴＥＤ：Ｒａｄｉｏ  Ｒｅｓｏｕｒｃｅ  Ｃｏｎｔｒｏｌ＿Ｃｏｎｎｅｃｔｅｄ）されている所与のＵＥが、非理想的バックホールによって接続された少なくとも２つの異なるネットワークノード（例えば、プライマリｅＮＢおよびセカンダリｅＮＢ）によって提供される無線リソースにアクセスするプロセスをいう。通常、プライマリｅＮＢは、大きなカバレッジを有し、セカンダリｅＮＢは、小さなカバレッジを有する。セカンダリｅＮＢは、電力を節約し、または干渉を低減するために、セカンダリｅＮＢによってサービスされるいくつかのサービング・スモール・セルをオフにすることがある。ＲＡＮ１は、スモール・セルをオン／オフすることについて（Ｒ１−１４１０２１によると）以下の合意に達した。
・同一周波数／異周波数の無線リソース管理（ＲＲＭ：Ｒａｄｉｏ  Ｒｅｓｏｕｒｃｅ  Ｍａｎａｇｅｍｅｎｔ）測定について、少なくともディスカバリ参照信号（ＤＲＳ：Ｄｉｓｃｏｖｅｒｙ  Ｒｅｆｅｒｅｎｃｅ  Ｓｉｇｎａｌ）ベースの参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）測定がサポートされる。
・ＲＲＭ測定について、サポートＤＲＳベースの参照信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）などの測定がサポートされる。
・ディスカバリ測定（ｄｉｓｃｏｖｅｒｙ  ｍｅａｓｕｒｅｍｅｎｔ）に関連付けられるタイミング情報に少なくとも関係するネットワーク・アシスタンスが、リリース１２のディスカバリ手順（ｄｉｓｃｏｖｅｒｙ  ｐｒｏｃｅｄｕｒｅ）のためにＵＥに提供される。
【０００３】
しかしながら、従来技術において、オフ状態のスモール・セルのディスカバリについていくつかの未解決の問題が、依然として存在する。例えば、
−拡張されたセル・ディスカバリを行うための、特定のネットワーク・アシスタンスまたは情報を、どのようにＵＥに提供するか
−スモール・セルのオン／オフ状態についての情報を、ＵＥに正確に通知するかどうか（またはどのように通知するか）
−拡張されたセル・ディスカバリについてのプライマリ同期信号（ＰＳＳ：Ｐｒｉｍａｒｙ  Ｓｙｎｃｈｒｏｎｉｚａｔｉｏｎ  Ｓｉｇｎａｌ）に加えて、ＵＥに利用可能である他のどの信号が発見され得るか
【０００４】
典型的には、スモール・セルはオンにされているため、上記の技術的問題に対して従来技術での解決策はない。さらに、スモール・セルがオフにされる場合であっても、オフ状態のスモール・セルを測定するようにＵＥに要求する方法に対し、従来技術での技術的解決策は依然として存在しない。
【発明の概要】
【発明が解決しようとする課題】
【０００５】
これらの問題を処理するために、本出願は、オフ状態のスモール・セル上での測定改善の方法を詳細に提供する。さらに、本出願は、スモール・セルがオフされているときに、デュアル接続のためにＵＥを構成するための詳細な手順を提供する。
【課題を解決するための手段】
【０００６】
上記の技術的問題に対処するために、本発明の態様によれば、プライマリｅＮＢにおける、デュアル接続のための、オフ状態のスモール・セル上での測定改善の方法が開示されている。方法は、オフ状態のスモール・セルのオフ状態情報をセカンダリｅＮＢから取得するステップと、オフ状態情報をＵＥに送信するステップと、ＵＥから送信される、オフ状態のスモール・セルについての測定報告を受信するステップと、ＵＥをデュアル接続で構成することを決定するステップと、デュアル接続をセットアップするためのリクエストをセカンダリｅＮＢに送信するステップと、セカンダリｅＮＢの確認応答コマンドを受信するステップと、を含み、確認応答コマンドが、デュアル接続をセットアップすることを受け入れることについてのセカンダリｅＮＢの確認応答を含むとき、方法は、ＵＥが、セカンダリｅＮＢにアクセスし、ＲＲＣ接続再構成情報にしたがってデュアル接続をセットアップするように、再構成情報をＵＥに送信するステップをさらに含む。
【０００７】
特に、オフ状態のスモール・セルは、断続的にディスカバリ参照信号（ＤＲＳ）を送信し、オフ状態情報は、ディスカバリ参照信号（ＤＲＳ）の送信間隔を含む。
【０００８】
特に、プライマリｅＮＢによってサービスされるマクロ・セルが、オフ状態のスモール・セルと同期しないとき、オフ状態情報は、マクロ・セルとオフ状態のスモール・セルとの間の同期の差をさらに含む。
【０００９】
特に、オフ状態情報は、オフ状態のスモール・セルからディスカバリ参照信号（ＤＲＳ）が送信されるサブフレーム番号、または、オフ状態のスモール・セルからディスカバリ参照信号（ＤＲＳ）が送信される無線フレーム番号およびサブフレーム番号をさらに含み、オフ状態のスモール・セルから送信されたディスカバリ参照信号（ＤＲＳ）が、セル固有参照信号（ＣＲＳ）でないとき、オフ状態情報は、ディスカバリ参照信号（ＤＲＳ）の種類をさらに含む。
【００１０】
特に、プライマリｅＮＢは、ｉ．Ｘ２セットアップ・リクエスト（Ｘ２  Ｓｅｔｕｐ  Ｒｅｑｕｅｓｔ）、ｉｉ．Ｘ２セットアップ・レスポンス（Ｘ２  Ｓｅｔｕｐ  Ｒｅｓｐｏｎｓｅ）、およびｉｉｉ．ｅＮＢコンフィギュレーション・アップデート（ｅＮＢ  ｃｏｎｆｉｇｕｒａｔｉｏｎ  ｕｐｄａｔｅ）のうちのいずれか１つにおいて、セカンダリｅＮＢからオフ状態情報を取得し、プライマリｅＮＢは、オフ状態のスモール・セルが動作する周波数を指し、オフ状態情報を含む、測定オブジェクトを含む測定構成情報において、オフ状態情報をＵＥに送信する。
【００１１】
本発明の別の態様によれば、セカンダリｅＮＢにおける、デュアル接続のための、オフ状態のスモール・セル上での測定改善の方法が開示される。方法は、サービスされるオフ状態のスモール・セルのオフ状態情報をプライマリｅＮＢに送信するステップと、プライマリｅＮＢから送信された、デュアル接続をセットアップするためのリクエストを受信するステップと、デュアル接続のセットアップを受け入れるかどうかを決定するステップと、を含み、デュアル接続のセットアップが受け入れられるとき、Ｉ．確認応答コマンドをプライマリｅＮＢに送信するステップで、確認応答コマンドは、デュアル接続をセットアップするためにＵＥが必要とする構成情報を含むステップと、ＩＩ．セットアップされたデュアル接続を介して、アップリンク・データおよびダウンリンク・データをＵＥで送信するステップと、を含み、デュアル接続のセットアップが受け入れられないとき、失敗応答をプライマリｅＮＢに送信するステップを含む。
【００１２】
特に、オフ状態のスモール・セルは、断続的にディスカバリ参照信号（ＤＲＳ）を送信し、オフ状態情報は、ディスカバリ参照信号（ＤＲＳ）の送信間隔を含む。
【００１３】
特に、プライマリｅＮＢによってサービスされるマクロ・セルが、オフ状態のスモール・セルと同期しないとき、オフ状態情報は、マクロ・セルとオフ状態のスモール・セルとの間の同期の差をさらに含む。
【００１４】
特に、オフ状態情報は、オフ状態のスモール・セルからディスカバリ参照信号（ＤＲＳ）が送信されるサブフレーム番号、または、オフ状態のスモール・セルからディスカバリ参照信号（ＤＲＳ）が送信される無線フレーム番号およびサブフレーム番号をさらに含み、オフ状態のスモール・セルから送信されたディスカバリ参照信号（ＤＲＳ）が、セル固有参照信号（ＣＲＳ）でないとき、オフ状態情報は、ディスカバリ参照信号（ＤＲＳ）の種類をさらに含む。
【００１５】
特に、オフ状態のスモール・セルは、ＰＵＣＣＨチャネルでＵＥを構成するスモール・セルを指す特別なスモール・セルであり、特別なスモール・セルがオフにされるとき、ステップＩＩは、ＵＥに送信するダウンリンク・データがあるとき、Ａ．オフ状態のスモール・セルをオンにし、周期的に物理層制御シグナリングをＵＥに送信するステップと、Ｂ．ダウンリンク・データをＵＥに送信するステップと、を含み、ＵＥから受信するアップリンク・データがあるとき、スモール・セルによって構成されるランダム・アクセス・リソースを介してＵＥによって開始されるランダム・アクセス手順において、ＵＥのアップリンク・データを受信するステップを含む。
【００１６】
本発明のさらに別の態様によれば、ＵＥにおける、デュアル接続のための、オフ状態のスモール・セル上での測定改善の方法が開示される。方法は、ａ．プライマリｅＮＢとのＲＲＣ接続をセットアップするステップと、ｂ．オフ状態のスモール・セルのオフ状態情報をプライマリｅＮＢから受信するステップと、ｃ．オフ状態情報に基づいて、オフ状態のスモール・セルの信号品質を測定するステップと、ｄ．オフ状態のスモール・セルについての測定報告をプライマリｅＮＢに送信するステップと、ｅ．ＲＲＣ接続再構成情報をプライマリｅＮＢから受信するステップと、ｆ．デュアル接続をセットアップするために、ＲＲＣ接続再構成情報にしたがってＲＲＣ接続を再構成するステップと、ｇ．セットアップされたデュアル接続を介して、スモール・セルにサービスするセカンダリｅＮＢで、アップリンク・データおよびダウンリンク・データを送信するステップと、を含む。
【００１７】
特に、オフ状態のスモール・セルは、断続的にディスカバリ参照信号（ＤＲＳ）を送信し、オフ状態情報は、ディスカバリ参照信号（ＤＲＳ）の送信間隔を含み、プライマリｅＮＢによってサービスされるマクロ・セルが、オフ状態のスモール・セルと同期しないとき、オフ状態情報は、マクロ・セルとオフ状態のスモール・セルとの間の同期の差をさらに含む。
【００１８】
特に、オフ状態情報は、オフ状態のスモール・セルからディスカバリ参照信号（ＤＲＳ）が送信されるサブフレーム番号、または、オフ状態のスモール・セルからディスカバリ参照信号（ＤＲＳ）が送信される無線フレーム番号およびサブフレーム番号をさらに含み、オフ状態のスモール・セルから送信されたディスカバリ参照信号（ＤＲＳ）が、セル固有参照信号（ＣＲＳ）でないとき、オフ状態情報は、ディスカバリ参照信号（ＤＲＳ）の種類をさらに含む。
【００１９】
特に、オフ状態のスモール・セルは、ＰＵＣＣＨチャネルでＵＥを構成するスモール・セルを指す特別なスモール・セルであり、特別なスモール・セルがオフにされるとき、ステップｇは、特別なスモール・セルからの物理層制御シグナリングを周期的に検出するステップと、物理層制御シグナリングが有効であると判定されるとき、セカンダリｅＮＢから送信されたダウンリンク・データを受信するステップと、セカンダリｅＮＢに送信するアップリンク・データがあるとき、アップリンク・データを送信するためのセットアップされたデュアル接続を介して、セカンダリｅＮＢへのランダム・アクセス手順を開始するステップと、を含む。
【００２０】
本発明のさらなる態様によれば、ＵＥにおける、オフ状態のスモール・セル上での測定改善の方法が開示される。方法は、ｅＮＢから送信された測定構成情報を受信するステップで、測定構成情報が、オフ状態のスモール・セルから送信されるディスカバリ参照信号（ＤＲＳ）の送信間隔を少なくとも含むステップと、測定構成情報にしたがって、オフ状態のスモール・セルの信号品質を測定および評価するステップと、信号品質が報告条件を満たすとき、オフ状態のスモール・セルについての測定報告をｅＮＢに送信するステップと、を含む。
【００２１】
本発明は、開示された測定改善を通じて、オフ状態のスモール・セルを発見する方法を提供する。方法は、スモール・セルを発見するために必要な情報をＵＥに提供し、さらに、測定手順における電力節約のための最適化情報をＵＥに提供する。
【００２２】
本発明の前述の特徴および他の特徴は、図面と併せてとられる、以下の実施形態の詳細な説明からより明らかとなるであろう。図面中の同一または類似の参照番号は、同一または類似のステップを示す。
【図面の簡単な説明】
【００２３】
【図１】本発明の実施形態による、デュアル接続のための、オフ状態のスモール・セル上での測定改善方法の概略図を示す。
【図２】フレーム信号が同期しているときの、マクロ・セルおよびスモール・セルのフレーム信号の概略図を示す。
【図３】フレーム信号が同期していないときの、マクロ・セルおよびスモール・セルのフレーム信号の概略図を示す。
【図４】ＵＥにおける、オフ状態のスモール・セル上での測定改善の方法のフローチャートを示す。
【発明を実施するための形態】
【００２４】
以下の好ましい実施形態の詳細な説明において、本発明の一部を構成する図面に対する参照が行われる。図面は、本発明が具現化され得る特定の実施形態を、例示的に示す。例示的な実施形態は、本発明の実施形態全てを尽くすことを意図するものではない。本発明における方法のステップが、特定の順序で説明されているが、これは、これらの動作が特定の順序で実行され、または示される動作の全てが望ましい結果のために実行されなければならないことを要求または示唆するものではなく、むしろ本文脈で説明されるステップは、代替的な順序で実行され得ることに留意するものとする。追加的または代替的に、ステップのうちのいくつかは、省略されてもよく、１つより多くのステップが１つのステップに結合されてもよく、および／またはステップのうちの１つが、１つよりも多くのステップに分解されてもよい。
【００２５】
デュアル接続は、プライマリｅＮＢおよびセカンダリｅＮＢの両方を通じ、ＵＥでアップリンク・データおよびダウンリンク・データを送信することを指し、その場合に、ＵＥは、プライマリｅＮＢおよびセカンダリｅＮＢと高品質な通信を維持する必要がある。よって、デュアル接続がセットアップされる前に、ＵＥと、プライマリｅＮＢおよびセカンダリｅＮＢとの間の信号品質を判定することが非常に重要である。典型的には、プライマリｅＮＢは、高い信号強度および高い安定性を有する大きな信号カバレッジ領域を有し、一方、セカンダリｅＮＢは、プライマリｅＮＢよりも低い信号強度を有する小さな信号カバレッジ領域を有する。よって、ＵＥがスモール・セル内でデュアル接続を実行できるかどうかを判断するために、セカンダリｅＮＢによってサービスされるスモール・セル内の信号を測定する必要がある。ＵＥが、スモール・セル内で高品質の信号を測定する場合、それは、ＵＥが、スモール・セルにサービスするセカンダリｅＮＢと高品質な通信を維持することができるということ、即ち、ＵＥは、セカンダリｅＮＢとのデュアル接続を実行することができるということを示す。そうでない場合、それは、デュアル接続が不可能であることを示している。
【００２６】
典型的には、セカンダリｅＮＢによってサービスされるスモール・セルが、オンにされ、ＵＥが、対応する測定構成情報（例えば、スモール・セルについての測定識別（ｍｅａｓｕｒｅｍｅｎｔ  ｉｄｅｎｔｉｔｙ）など）で構成されるとき、ＵＥは、スモール・セルのプライマリ同期信号（ＰＳＳ：Ｐｒｉｍａｒｙ  Ｓｙｎｃｈｒｏｎｉｚａｔｉｏｎ  Ｓｉｇｎａｌ）／セカンダリ同期信号（ＳＳＳ：Ｓｅｃｏｎｄａｒｙ  Ｓｙｎｃｈｒｏｎｉｚａｔｉｏｎ  Ｓｉｇｎａｌ）／セル固有参照信号（ＣＲＳ：Ｃｅｌｌ−Ｓｐｅｃｉｆｉｃ  Ｒｅｆｅｒｅｎｃｅ  ｓｉｇｎａｌ）に基づいて、セル内の信号品質を検出し、測定することができる。
【００２７】
セカンダリｅＮＢによってサービスされるスモール・セルがオフにされているとき、ＵＥは、スモール・セル内の信号品質を判定するために、スモール・セルのディスカバリ参照信号（ＤＲＳ）を測定することだけができる。ディスカバリ参照信号（ＤＲＳ）を正確に測定するために、ＵＥは、ディスカバリ参照信号（ＤＲＳ）について必要な情報を取得しなければならない。
【００２８】
ディスカバリ参照信号（ＤＲＳ）についての必要情報をＵＥがどのようにして取得するか、どの情報がディスカバリ参照信号（ＤＲＳ）についての必要情報であるか、および、ＵＥがどのようにしてオフ状態のスモール・セル内の信号品質を正確に測定し、デュアル接続をセットアップするかは、従来技術では知られていない。技術的な問題の観点からみて、本出願は、上記の技術的な問題に対し、以下で解決策を提供する。
【００２９】
図１は、本発明の実施形態による、デュアル接続のためのオフ状態のスモール・セル上での測定改善の方法の概略図を示す。
【００３０】
本発明の実施形態では、ＵＥ１０１は、オフ状態のスモール・セルを測定するＵＥであり、プライマリｅＮＢ１０２は、ＵＥ１０１が位置しているマクロ・セルにサービスする役割である。セカンダリｅＮＢ１０３は、オフ状態のスモール・セルにサービスする役割であり、セカンダリｅＮＢ１０３によってサービスされるオフ状態のスモール・セルは、１つまたは複数のセルであり得る。簡潔さのため、以下では、オフにされた状態のセルは、単に、オフ状態のスモール・セルと呼ばれるものとする。ディスカバリ参照信号（ＤＲＳ）は、単にＤＲＳと呼ばれ、セル固有参照信号（ＣＲＳ）は、単にＣＲＳと呼ばれるものとする。
【００３１】
ステップＳ０１では、プライマリｅＮＢ１０２は、オフ状態のスモール・セルのオフ状態情報をセカンダリｅＮＢ１０３から取得する。オフ状態情報は、プライマリｅＮＢ１０２がリクエストすることによってセカンダリｅＮＢ１０３から引き出されてもよく、または、セカンダリｅＮＢ１０３から能動的にプライマリｅＮＢ１０２に対して送信されてもよい。
【００３２】
好ましい実施形態では、スモール・セルが、オンの状態からオフの状態に入るとき、セカンダリｅＮＢ１０３は、オフ状態情報を能動的にプライマリｅＮＢ１０２に送信する。
【００３３】
別の好ましい実施形態では、プライマリｅＮＢ１０２は、Ｘ２インターフェース・シグナリング、例えば、Ｘ２セットアップ・リクエスト（Ｘ２  Ｓｅｔｕｐ  Ｒｅｑｕｅｓｔ）、Ｘ２セットアップ・レスポンス（Ｘ２  Ｓｅｔｕｐ  Ｒｅｓｐｏｎｓｅ）、またはｅＮＢコンフィギュレーション・アップデート（ｅＮＢ  ｃｏｎｆｉｇｕｒａｔｉｏｎ  ｕｐｄａｔｅ）を介して、オフ状態情報を取得する。
【００３４】
オフ状態情報は、ステップＳ０３で、情報に基づいてオフ状態のスモール・セルの信号品質を、ＵＥ１０１が測定できるようにするために、ＵＥ１０１に伝送されることとなる。ＵＥ１０１が、オフ状態のスモール・セルの信号品質を正確に測定できるようにするために、オフ状態情報は、ＤＲＳのタイミングに関する必要な情報を含むものとする。
【００３５】
本発明の実施形態では、オフ状態情報は、ＤＲＳの送信間隔を少なくとも含む。
【００３６】
オフ状態のスモール・セルは、断続的にＤＲＳを送信することとなる。ＵＥ１０１が、スモール・セル内の信号品質を検出しようとするとき、ＵＥ１０１は、スモール・セルの同期情報を取得することとなる。一度、ＵＥ１０１が、同期情報にしたがってＤＲＳを検出および測定すると、さらなる測定サンプルを求めて次のＤＲＳを再測定することとなる。ＵＥ１０１に、この時点でＤＲＳの送信間隔についての知識がない場合、ＵＥ１０１は、ＤＲＳがない別のサブフレームを選択して測定してもよいが、これは、測定結果のエラーにつながる恐れがある。よって、ＵＥ１０１には、少なくともＤＲＳの送信間隔が通知されるものとする。このことは、オフ状態情報がＤＲＳの送信間隔を少なくとも含むことを意味する。ＤＲＳの送信間隔は、スモール・セルに対応しており、異なるスモール・セルのＤＲＳ送信間隔は異なる場合があり、よって、別々のスモール・セルのＤＲＳ送信間隔は、固有である。
【００３７】
本発明の実施形態では、オフ状態のスモール・セルから送信されたＤＲＳがＣＲＳでないとき、オフ状態情報は、ＤＲＳの種類をさらに含む。
【００３８】
典型的には、ＵＥがセルを検出または測定するとき、ＵＥは、セルの同期情報を取得し、次いでセルのＣＲＳを検出することとなる。ＣＲＳは、典型的には、ｅＮＢの各サブフレームにおいて送信される。ＤＲＳがＣＲＳと一致する場合、オフ状態情報が、ＤＲＳの種類についての情報を含むことはないが、ＤＲＳがＣＲＳでない場合、ＤＲＳの種類についての情報（例えば、チャネル品質情報参照信号（ＣＳＩＲＳ：Ｃｈａｎｎｅｌ  Ｓｔａｔｕｓ  Ｉｎｆｏｒｍａｔｉｏｎ−Ｒｅｆｅｒｅｎｃｅ  Ｓｉｇｎａｌ））または位置参照信号（ＰＲＳ：Ｐｏｓｉｔｉｏｎ  Ｒｅｆｅｒｅｎｃｅ  Ｓｉｇｎａｌ）が、プライマリｅＮＢ１０２によって、オフ状態情報において、ＵＥ１０１に提供されるものとする。
【００３９】
本発明の実施形態では、オフ状態情報は、オフ状態のスモール・セルからＤＲＳが送信されるサブフレームの番号、または、オフ状態のスモール・セルからＤＲＳが送信される無線フレームの番号およびサブフレームの番号をさらに含んでもよい。
【００４０】
しかし、ＵＥ１０１は、オフ状態のスモール・セルから送信される、ＤＲＳを含む第１のサブフレームを自動的に検出することができる。一方、ＵＥ１０１に、オフ状態のスモール・セルからＤＲＳが送信されるサブフレームの番号、または、オフ状態のスモール・セルからＤＲＳが送信される無線フレームの番号およびサブフレームの番号が通知される場合、ＵＥ１０１は、自動検出に追加の電力を費やすことがなく、それによってＵＥの電力を節約し得る。
【００４１】
本発明の実施形態では、プライマリｅＮＢ１０２によってサービスされるマクロ・セルが、セカンダリｅＮＢ１０３によってサービスされるオフ状態のスモール・セルと同期しないとき、オフ状態情報は、マクロ・セルとオフ状態のスモール・セルとの間の同期の差をさらに含む。
【００４２】
図２は、フレーム信号が同期しているときの、マクロ・セルおよびスモール・セルのフレーム信号の概略図を示す。図２に示すように、マクロ・セルおよびスモール・セルのフレーム信号は同期しており、Ｌ個のＤＲＳが、オフされているスモール・セル（図中の影付きの箇所）において固定間隔で送信される。マクロ・セルは、スモール・セルと同期しているため、プライマリｅＮＢ１０２がマクロ・セルの同期情報をＵＥ１０１に提供する限り、ＵＥ１０１は、オフ状態のスモール・セルの同期情報を正確に知ることができる。
【００４３】
図３は、フレーム信号が同期していないときの、マクロ・セルおよびスモール・セルのフレーム信号の概略図を示す。図３に示すように、マクロ・セルのフレーム信号とスモール・セルのフレーム信号との間には差がある。マクロ・セルは、スモール・セルと同期しておらず、同期情報が、オフ状態のスモール・セルから送信されていないことがあるため、ＵＥ１０１には、オフ状態のスモール・セルの同期情報の知識が全くない。よって、プライマリｅＮＢ１０２によってサービスされるマクロ・セルが、セカンダリｅＮＢ１０３によってサービスされるオフ状態のセルと同期していないとき、ＵＥが、プライマリｅＮＢの同期情報およびその差を取得した後でスモール・セルの同期情報を正確に得ることができるように、オフ状態情報は、マクロ・セルとオフ状態のスモール・セルとの間の同期の差をさらに含むものとする。よって、オフ状態のスモール・セルが、同期信号を送信する場合、ＵＥ１０１は、同期の差を提供されることなく、オフ状態のスモール・セルの同期情報を検出することができる。オフ状態のスモール・セルがいかなる同期信号も送信しない場合、マクロ・セルのフレーム信号とスモール・セルとのフレーム信号との同期に差があり、ＵＥは、同期における差を取得するものとする。
【００４４】
ステップＳ０２で、ＵＥ１０１は、アップリンク・データおよびダウンリンク・データをプライマリｅＮＢ１０２で送信するように、プライマリｅＮＢ１０２との無線リソース制御（ＲＲＣ：Ｒａｄｉｏ  Ｒｅｓｏｕｒｃｅ  Ｃｏｎｔｒｏｌ）接続をセットアップする。
【００４５】
ステップＳ０３で、ＵＥ１０１がプライマリｅＮＢ１０２とのＲＲＣ接続をセットアップした後、プライマリｅＮＢ１０２が、オフ状態情報を含む測定構成情報をＵＥ１０１に送信する。測定構成情報は、測定識別および測定識別に対応するオフ状態情報を含む。各測定識別は、測定オブジェクトに対応し、測定オブジェクトは、オフ状態のスモール・セルが動作する周波数を指し、測定オブジェクトは、その周波数におけるそれぞれの隣接セル（オフ状態のスモール・セルを含む、マクロ・セルに隣接するセル）の他の構成、例えば、アンテナ・ポート１が、これらの隣接セルによってアクセスされるかどうか、周波数オフセット、隣接セルの物理セルの識別子、などをさらに含む。特に本実施形態では、測定オブジェクトは、オフ状態のスモール・セルのオフ状態情報を含む。
【００４６】
ステップＳ０４で、ＵＥ１０１は、測定構成情報内のオフ状態情報に基づいて、オフ状態のスモール・セルの信号品質を測定する。オフ状態のスモール・セルは、断続的にＤＲＳを送信することとなる。ＵＥ１０１は、取得したオフ状態情報からオフ状態のスモール・セルの同期情報を取得するか、またはスモール・セルの同期情報を自動的に検出し、サブフレーム内のＤＲＳの位置を検出する。ＵＥ１０１は、検出したＤＲＳの信号品質を評価して、測定した信号品質が報告条件を満たすとき（報告条件は、オフ状態のスモール・セルの信号品質が、ある期間中ずっと予め設定した閾値であり続けることであってもよい）、フローは、ステップＳ０５に進む。ステップＳ０５では、ＵＥ１０１は、オフ状態のスモール・セルにおける信号品質についての測定報告をプライマリｅＮＢ１０２に送信する。
【００４７】
ステップＳ０６で、プライマリｅＮＢ１０２は、オフ状態のスモール・セルの信号品質についての、ＵＥ１０１から受信した測定報告にしたがって、ＵＥ１０１についてデュアル接続を実行するかどうかを決定する。プライマリｅＮＢ１０２が、デュアル接続を実行することを決定する場合、プライマリｅＮＢ１０２は、ステップＳ０７においてデュアル接続をセットアップするように、セカンダリｅＮＢ１０３にリクエストを送信する。デュアル接続をセットアップするための特定のリクエストは、セカンダリｅＮＢによって追加される指示シグナリングであってもよく、シグナリングの正確な名前は、本出願では定義しないこととする。
【００４８】
ステップＳ０８で、セカンダリｅＮＢ１０３は、デュアル接続をセットアップするためのリクエストを受信してデュアル接続を実行するかどうかを判断する。セカンダリｅＮＢ１０３が、デュアル接続のセットアップを受け入れる場合、ステップＳ０９で、セカンダリｅＮＢ１０３は、確認応答コマンドを返し、スモール・セルが正常に動作可能となるように、スモール・セルをオンにする。セカンダリｅＮＢ１０３が、デュアル接続のセットアップを受け入れない場合、セカンダリｅＮＢ１０３は、失敗応答をプライマリｅＮＢ１０２に送信する。
【００４９】
ステップＳ０９で、セカンダリｅＮＢは、確認応答コマンドをプライマリｅＮＢ１０２に送信する。確認応答コマンドは、デュアル接続をセットアップするためにＵＥ１０１が必要とする構成情報（例えば、ＵＥ１０１によってアクセスされるスモール・セルの構成情報など）、およびセカンダリｅＮＢ１０３がデュアル接続のセットアップを受け入れるための確認応答メッセージを含む。
【００５０】
ステップＳ１０で、プライマリｅＮＢ１０２は、受信した確認応答コマンド内の構成情報に基づいて、デュアル接続をセットアップするためのＵＥ１０１に対するＲＲＣ接続再構成情報を生成し、ＲＲＣ接続再構成情報をＵＥ１０１に送信する。
【００５１】
ステップＳ１１で、ＵＥ１０１のプライマリｅＮＢ１０２およびセカンダリｅＮＢ１０３とのデュアル接続を可能にするために、ＵＥ１０１は、受信したＲＲＣ接続再構成情報にしたがって、ＲＲＣ接続を再構成する。その後、ＵＥ１０１は、ＵＥがＲＲＣ接続の再構成を完了したことを示すメッセージを、セカンダリｅＮＢ１０３にフィードバックする。
【００５２】
ステップＳ１３で、ＵＥ１０１は、アップリンク・データおよびダウンリンク・データをセカンダリｅＮＢ１０３で送信し、それによって、ＵＥのマクロ・セルおよびオフ状態のスモール・セルとのデュアル接続を可能にするために、構成情報に基づいてランダム・アクセス手順でスモール・セルにアクセスすることができる。この時点で、オフ状態のスモール・セルは、正常に動作している。
【００５３】
上記の場合に、セカンダリｅＮＢ１０３によってサービスされるオフ状態のスモール・セルが、特別なスモール・セルであるとき、即ち、オフ状態のスモール・セルが、ＵＥのためにＰＵＣＣＨチャネルを構成するスモール・セルであるとき、オフ状態のスモール・セルが、素早く切り替え可能であれば、これは、特に、デュアル接続をセットアップしたＵＥが効率的にデュアル接続を実行するのに重要である。
【００５４】
本発明の実施形態によれば、ＵＥ１０１は、特別なスモール・セルからの物理層制御シグナリングを周期的に検出し、物理層制御シグナリングが有効であると判定されるとき、特別なスモール・セルがオンにされ、ＵＥ１０１へダウンリンク・データを送信させることを意味する。よって、ＵＥ１０１は、セカンダリｅＮＢ１０３でデータを送信し、送信されたダウンリンク・データをスモール・セルから受信する。ＵＥ１０１が、依然としてオフ状態の特定のスモール・セルへアップリンク・データを送信させるとき、ＵＥ１０１は、アップリンク・データを送信するために、セットアップされたデュアル接続を介して、セカンダリｅＮＢへのランダム・アクセス手順を開始することができる。その場合に、ランダム・アクセス・リソースは、ステップＳ０９およびＳ１０において、ＵＥ１０１のためにスモール・セルによって構成される。ランダム・アクセス構成は、セカンダリｅＮＢ１０３が、潜在プリアンブルをＵＥから時々受信するために起動されることを必要とする。
【００５５】
さらに、Ｓ０１からＳ０５の技術的開示に続いて、本発明の実施形態は、ＵＥにおける、オフ状態のスモール・セル上での測定改善の方法をさらに提供し得る。図４は、ＵＥにおける、オフ状態のスモール・セル上での測定改善の方法のフローチャートを示す。
【００５６】
ステップ４０１で、ＵＥは、ｅＮＢから送信された測定構成情報を受信する。その場合に、測定構成情報は、オフ状態のスモール・セルから送信された、ディスカバリ参照信号（ＤＲＳ）の送信間隔を少なくとも含む。
【００５７】
ステップ４０２で、ＵＥは、測定構成情報にしたがって、オフ状態のスモール・セルの信号品質を測定および評価する。
【００５８】
ステップ４０３で、ＵＥは測定結果を評価し、信号品質が報告条件を満たすとき、フローは、ステップ４０４に進む。ステップ４０４で、ＵＥは、オフ状態のスモール・セルについての測定報告をｅＮＢに送信する。または、信号品質が報告条件を満たさないとき、ステップ４０２では、スモール・セル内の信号品質の測定が繰り返される。
【００５９】
その場合に、測定構成情報は、オフ状態のスモール・セルのオフ状態情報を含む。オフ状態情報の詳細については、ステップＳ０１の上述の説明を参照することができるため、ここでその説明を繰り返すことは省略する。
【００６０】
本発明は、上記の例示的な実施形態に限定されるものではないが、本発明の思想または本質から逸脱することなく、本発明が他の特定の形式で具現化され得ることは、当業者であれば理解するものとする。したがって、実施形態は、例示的および非限定的であるように、いかなる方法でも構築されるものとする。さらに、明らかなこととして、「備える／含む（ｃｏｍｐｒｉｓｅ）」との語は、他の要素およびステップを排除するものではなく、「１つの（ａ／ａｎ）」との語は、複数を排除するものではない。装置クレームにおいて述べられる１つより多くの要素は、１つの要素として具現化され得る。「第１の（ｆｉｒｓｔ）」、「第２の（ｓｅｃｏｎｄ）」などの語は、問題の要素を支配することを意図するものであるが、それらのいかなる特定の順序も示唆するものではない。
【図１】
2017513375.tif 000003
【図２】
2017513375.tif 000004
【図３】
2017513375.tif 000005
【図４】
2017513375.tif 000006
【国際調査報告】
2017513375.tif 000007
2017513375.tif 000008
2017513375.tif 000009
2017513375.tif 000010